(57)【要約】【課題】外部制御装置が異常を起こしても自動で復旧する無線システムを提供する。【解決手段】本無線システムは、無線機１と、無線機１を遠隔より操作するための外部制御装置２とを備える。無線機１は、送信用に無線信号を増幅する電力増幅ユニットと、無線機を制御する制御ユニットと、電力増幅ユニット及び制御ユニットに電力を供給する電源ユニットとを備える。無線機１と外部制御装置２は、無線機１から外部制御装置２へ無線機１の監視情報と第１のリセット信号とを伝送すると共に、外部制御装置２から制御信号と第２のリセット信号とを伝送するインタフェースにより接続される。制御ユニットは、無線機１の現実の状態と、制御信号から再現した状態とを比較し、比較した結果に基いて第１のリセット信号を発生して外部制御装置２をリセットする。【選択図】  図１
2005020371.tif 000002
【特許請求の範囲】
【請求項１】
無線機と、前記無線機を遠隔より操作するための外部制御装置とを備える無線システムにおいて、
前記無線機は、送信用に無線信号を増幅する電力増幅手段と、無線機を制御する制御手段と、前記電力増幅手段及び制御手段に電力を供給する電源手段とを備え、
前記無線機と前記外部制御装置は、前記無線機から前記外部制御装置へ前記無線機の監視情報と第１のリセット信号とを伝送すると共に、前記外部制御装置から制御信号と第２のリセット信号とを伝送するインタフェースにより接続され、
前記制御手段は、前記無線機の現実の状態と、前記制御信号から再現した状態とを比較し、比較した結果に基いて前記第１のリセット信号を発生して外部制御装置をリセットすることを特徴とする無線システム。
【発明の詳細な説明】
【０００１】
【発明の属する技術分野】
本発明は誤動作検知装置に関し、特に無線機と無線機の制御装置とからなるシステムに有益な誤動作検知装置に関する。
【０００２】
【従来の技術】
図３は従来の無線システムの構成図である。
本システムは、無線機１と、無線機１を遠隔から制御する外部制御装置２とから構成されている。無線機１は、外部制御装置２からの制御信号を受信するインタフェースと、無線機１から外部制御装置２へ監視情報を送出するインタフェースを有する。外部制御装置２は、無線機１から送られる監視情報を受信するインタフェースと、無線機１を制御するための信号を送出するインターフェースを備える。監視情報は、図中ではＰＡ＿ＯＮ及びＡＬＭで代表させてある。また制御信号や監視情報のインターフェースは、例えばシリアル信号や接点信号である。
【０００３】
無線機１はまた、外部制御装置からリセット信号を受信するインタフェースを備えている、無線機１が異常を起こした時、外部制御装置２からオペレータの手動操作若しくは自動制御により無線機１へリセットをかけ復旧することができる。
無線機１は具体的には、無線信号を送信用に増幅するためのＰＡ（パワーアンプ）ユニット１１と、無線機の制御を行う制御ユニット１２’と、ＰＡユニット１１や制御ユニット１２’に電力を供給する電源ユニット１３とを備える。図３の無線システムは公共放送の送信用に用いることを想定しており高い信頼性が要求されるので、ＰＡユニット１１、電源ユニット１３は２重系の構成になっている。
【０００４】
制御ユニット１２’は、外部制御装置２からの制御信号に基いてＰＡ１１ユニット、電源ユニット１３を制御する。制御信号としては、各ユニットのＯＮ／ＯＦＦや運用／予備切替え、出力電力値などがある。また、ＰＡ１１ユニット、電源ユニット１３の状態を監視し、外部制御装置２に出力する監視情報を生成する。なお図中の制御ユニット１２’内の点線は、制御における入力−出力関係を示すものである。
【０００５】
上記の他に本発明に関連する従来技術として、特許文献１及び２がある。
【０００６】
【特許文献１】特開２００２‐１８５３８３号公報
【特許文献２】特開２００２‐２６９９５号公報
【０００７】
【発明が解決しようとする課題】
上述した従来の技術では、外部制御装置２が異常を起こした場合、異常を検知する手段が無いのでハングアップしたままとなり、自動で復旧することはない。
【０００８】
本発明は上記問題点に鑑み、外部制御装置が異常を起こしても自動で復旧する無線システムを提供することにある。
【０００９】
【課題を解決するための手段】
上記目的を実現するため本発明の無線システムは、無線機と、前記無線機を遠隔より操作するための外部制御装置とを備える無線システムにおいて、前記無線機は、送信用に無線信号を増幅する電力増幅手段（ユニット）と、無線機を制御する制御手段（ユニット）と、前記電力増幅手段及び制御手段に電力を供給する電源手段（ユニット）とを備え、前記無線機と前記外部制御装置は、前記無線機から前記外部制御装置へ前記無線機の監視情報と第１のリセット信号とを伝送すると共に、前記外部制御装置から制御信号と第２のリセット信号とを伝送するインタフェースにより接続され、前記制御手段は、前記無線機の現実の状態と、前記制御信号から再現した状態とを比較し、比較した結果に基いて前記第１のリセット信号を発生して外部制御装置をリセットする。
【００１０】
【発明の実施の形態】
図１は、本発明の実施の形態における無線システムの構成図である。本実施の形態において従来の技術と同様の構成要素には同じ符号を付してその説明を省略する。制御ユニット１２は本実施の形態において従来と同様の機能を実現すると共に新たに、自装置状態監視部１２１と、自装置状態再現部１２２と、状態比較部１２３と、リセット回路１２４とを備える。
【００１１】
自装置状態監視部１２１は、ＰＡユニット１１、電源ユニット１３にて検出された状態を監視し、状態比較部１２３での比較に適した状態情報として出力する。状態情報は、無線機１が外部監視装置２に送信する監視情報と同等の情報でよいが、監視情報として送信されない無線機１の状態に関する情報を含んでもよい。
自装置状態再現部１２２は、外部制御装置２からの制御信号から、制御信号に基いて正常に状態遷移したときの無線機の状態を再現し、その結果を状態比較部１２３に出力する。
【００１２】
状態比較部１２３は、自装置状態監視部１２１の出力する無線機の現実の状態情報と、自装置状態再現部１２２の出力する再現された状態情報とを比較する。
リセット回路１２４は、状態比較部１２３が予め定めた時間以上、不一致を検出したときに異常と判断し、更に無線機１自身の異常か外部制御装置２の異常かを判断した上で少なくとも無線機１若しくは外部制御装置２にリセット信号を出力する。
【００１３】
次に本実施の形態の動作を図１に基いて説明する。図１の無線システムにおいて、無線機１は外部制御装置２から制御されるので、外部制御装置に対し基本的に従属である。したがって、外部制御装置２からの制御信号と、その制御信号に基く制御の結果である無線機１の状態情報とは常に同一でなければならない。
【００１４】
そのことから、外部制御装置２から新たに送られてきた制御信号と、その結果の無線機１の状態とが矛盾する場合、無線機１の異常と判断できる。例えば、外部制御装置２からＰＡユニットを運用系から予備系に切替える制御信号を受信したにも関わらず、無線機の実際の状態が運用系のままの場合、無線機１の異常と判断して無線機１にリセットをかける。
【００１５】
一方、無線機１が外部制御装置２に送信する監視情報のうち例えば各種の異常を示すアラームに対し、外部制御装置２の対応が既知の場合があるので、無線機１が新たに送った監視情報に対し、外部制御装置２から送られてきた制御情報が矛盾する場合、外部制御装置の異常と判断できる。監視情報には、ＰＡ異常、反射（ＳＷＲ）異常、ＰＡ合成過電流異常、電源異常、ファン異常、サージプロテクタヒューズ異常、出力検知、キャリア検知などがある。例えば、ＰＡユニットの現用系の使用時にＰＡユニットに異常が生じ、制御ユニット１２が自主的にＰＡユニットを予備系に切替えると共にＰＡ異常を外部制御装置２に送信したにもかかわらず、外部制御装置から系の切替え制御信号が送信されない場合、外部制御装置の異常と判断してＤ＿ＲＥＳＥＴインターフェースを介して外部制御装置にリセット信号を送信する。外部制御装置２は、そのリセット信号を受信するとリセットされる。
【００１６】
ここからは、本実施の形態の付加的な説明をする。
無線機１と外部制御装置２を接続するインターフェースは、断線検出を行う。例えば正負電圧（電流）で２値化するシリアル伝送を用いる場合、０Ｖの電圧（電流）の検出により回線異常と判断し、無線機１や外部制御装置２の異常と区別することができる。また、異常個所を特定できない場合は、無線機１および外部制御装置の双方に同時にリセットをかけても良い。
【００１７】
また、制御ユニット１２や外部制御装置２は、ＣＰＵやメモリ、Ｉ／Ｏ、表示手段等（いずれも図示しない）から構成されるが、メモリとして状態情報などの保持用にフラッシュメモリ等を使用している場合、書込み回数に限界がある。限界を超えた書き込みは、誤動作の原因になる。そこで図２のように、フラッシュメモリの書込み回数をカウントし、書込み回数の限界数の判定を行い、外部制御装置２の場合は判定結果を監視制御処理へ通知して、限界数であれば、フラッシュメモリの交換時期を表示などで知らせる事により、事前に誤動作の防止を行う。
【００１８】
本実施の形態によれば、無線機１の内部で無線機１の現実の状態と外部制御装置からの制御信号との矛盾から外部制御装置の異常を検知しリセットをかけることで、無線機１から外部制御装置２の監視制御を実現している。特に、状態情報（監視情報）の発生元である無線機１の側で自装置状態の監視と自装置状態の再現を行う構成にしたことで、インターフェースを増やすことなく多くの状態情報を比較して正確に異常を検知することができると共に、外部制御装置２を小型化できる。
【００１９】
本発明は上記実施の形態に限定するものではなく、構成の各機能部はソフトウェア、ハードウェアのいずれの手段で実現してもよく、また１つの機能部を複数の手段で実現してもよく、複数の機能部を単一の手段で実現してもよい。
【００２０】
【発明の効果】
本発明の無線システムによれば、外部制御装置が異常を起こしてもリセットにより自動で復旧するので、故障時間を短縮すると共にオペレータの操作を軽減することができる。
【図面の簡単な説明】
【図１】本実施の形態における無線システムの構成図
【図２】本実施の形態における外部制御装置の一処理を説明する図
【図３】従来の無線システムの構成図
【符号の説明】
１  無線機、２外部制御装置、１１  ＰＡユニット、１２  制御ユニット、１３電源ユニット、２１  表示制御ユニット
【図１】
2005020371.tif 000003
【図２】
2005020371.tif 000004
【図３】
2005020371.tif 000005